(57)【要約】【課題】フィルターモジュールを容易に取り付け、取り外しができるフィルターモジュール脱着装置を提供する。【構成】流体の入口を有するマニホールドを支持する固定板と、フィルターモジュールの前記載置面が接触するように載置されることでフィルターモジュールの載置面を支持する押さえ板であって、固定板の一端に設置された第一の軸を中心に回動する押さえ板と、固定板の他端に設置された第二の軸を中心として回動するレバーと、押さえ板は第三の軸と、第三の軸の上側に位置する第四の軸と、一端が第四の軸周りに枢支されて第四の軸周りに回転する駆動伝達アームであって、他端に第五の軸を有する駆動伝達アームと、一端が第五の軸に回動可能に取り付けられ、他端がフィルターモジュール脱着装置の第六の軸回りに回動可能に取り付けられ、配管材が取り付けられているバルブセットと、を備えるフィルターモジュール脱着装置により、解決する。【選択図】図６
2016055290.tif 000002
【特許請求の範囲】
【請求項１】
載置面を有し、流体の濾過を行うフィルターモジュールを脱着可能に取り付けるフィルターモジュール脱着装置であって、前記フィルターモジュールは、前記載置面にドレイン孔を有し、前記載置面と反対側の面に前記流体の流入口を有し、
そのフィルターモジュール脱着装置は、
前記流体の入口を有するマニホールドを支持する固定板と、
前記フィルターモジュールの前記載置面が接触するように載置されることで前記フィルターモジュールの前記載置面を支持する押さえ板であって、前記固定板の一端に設置された第一の軸を中心に回動する前記押さえ板と、
前記固定板の他端に設置された第二の軸を中心として回動するレバーと、
前記押さえ板は第三の軸と、
前記第三の軸の上側に位置する第四の軸と、一端が前記第四の軸周りに枢支されて前記第四の軸周りに回転する駆動伝達アームであって、他端に第五の軸を有する駆動伝達アームと、
一端が前記第五の軸に回動可能に取り付けられ、他端が前記フィルターモジュール脱着装置の第六の軸回りに回動可能に取り付けられ、配管材が取り付けられているバルブセットと、を備え、
前記レバーは、前記第三の軸が内部を移動可能な長孔のカム機構部を有し、前記長孔は、前記長孔の一端における前記第二の軸と前記第三の軸との距離が前記長孔の他端における前記第二の軸と前記第三の軸との距離よりも長く、
前記レバーの回転により前記第三の軸が前記長孔の前記一端にあるときは、前記押さえ板は傾斜して、前記フィルターモジュールが前記押さえ板に装着可能であって、
前記フィルターモジュールを前記押さえ板に装着後に前記レバーを回転させて前記第三の軸が前記長孔の前記他端に移動すると、前記フィルターモジュールの前記流体の前記流入口と前記マニホールドの前記流体の前記入口とを嵌合接続するとともに、前記駆動伝達アームが上方向に移動して、前記バルブセットの前記配管材が前記ドレイン孔の中に導入されるフィルターモジュール脱着装置。
【請求項２】
請求項１に記載のフィルターモジュール脱着装置であって、
前記フィルターモジュールの前記ドレイン孔は板材により塞がれていて、前記バルブセットの前記配管材が前記ドレイン孔の中に導入される際に、前記板材が前記配管材により突き起こされるフィルターモジュール脱着装置。
【発明の詳細な説明】
【技術分野】
【０００１】
この発明は、特に使用部材を低減して、廃棄の環境負荷を低減した使い捨てフィルターモジュールを迅速に脱着出来るフィルターモジュール脱着装置に関する。
【背景技術】
【０００２】
液体や気体等の流体の濾過や分離に使用される濾過器の一つの形式として、フィルターエレメントを合成樹脂製ハウジングに内装し、フィルターエレメントが目詰まり等の寿命に達した際には、樹脂製ハウジングごと交換する使い捨てフィルターモジュールが利用されている。フィルターモジュールは、再利用可能なハウジングにフィルターエレメントのみを交換する濾過器と比較すると、流体への外環境からの混入による汚染の防止、流体の外環境への漏出の防止、また、交換作業者の安全確保や交換作業の迅速化など、多くの利点を有していることから、医薬品、食品及び飲料品などの製品を製造する工業プロセスに広く利用されている。
【０００３】
特に半導体関連の製品では、ホトレジストに代表される光化学薬剤やカラーフィルター用レジストやエッチング剤など、流体の外環境からの汚染を厳密に制御する必要のある流体や、トルエン等の有機溶剤やフッ素等の人体や外環境へ及ぼす有害な流体の濾過にフィルターモジュールが使用されている。
【０００４】
交換作業の安全性や流体への汚染防止の観点から、迅速に脱着できるコネクタを有するフィルターモジュールと濾過装置が提案されている。このようなものとして、フィルターモジュールの一端に複数のコネクタを設置し、マニホールドに設置されたコネクタに弾性シール材を介して接続するフィルターモジュールが提案されている（特許文献１参照）。
【０００５】
また、固定されたマニホールドのコネクタとフィルターモジュールのコネクタとをレバー操作でフィルターモジュールを垂直に移動させて接続する濾過装置が提案されている（特許文献２参照）。
【先行技術文献】
【特許文献】
【０００６】
【特許文献１】特開平１０−７１３２６号
【特許文献２】特開２００９−１８３０８号
【発明の概要】
【発明が解決しようとする課題】
【０００７】
これらのフィルターモジュール及び濾過装置は、シール性の信頼性を確保して、フィルターモジュールとマニホールドとを迅速に接続するために、フィルターモジュールの一端にコネクタを直立させ、マニホールドの下面側に設置したコネクタと嵌合させる必要があった。このため、フィルターモジュール、特にフィルターエレメントを内装する合成樹脂製のハウジングのコネクタ構造が複雑になり、使用するハウジングの合成樹脂の量も多くなる傾向にあった。
【０００８】
フィルターモジュールは使い捨てのため、濾過や分離の要求性能を満たすフィルターエレメントの減量はもとより、ハウジングを構成する合成樹脂の使用量の減量が環境負荷の低減のために必要であった。さらには、使い捨ての際にフィルターモジュールに残っている液体の回収も環境負荷の低減のためには重要な要件であった。
【０００９】
本発明は、上記フィルターモジュールの脱着が容易にできるフィルターモジュール脱着装置を提供することを目的とする。
【課題を解決するための手段】
【００１０】
載置面を有し、流体の濾過を行うフィルターモジュールを脱着可能に取り付けるフィルターモジュール脱着装置であって、前記フィルターモジュールは、前記載置面にドレイン孔を有し、前記載置面と反対側の面に前記流体の流入口を有し、そのフィルターモジュール脱着装置は、前記流体の入口を有するマニホールドを支持する固定板と、前記フィルターモジュールの前記載置面が接触するように載置されることで前記フィルターモジュールの前記載置面を支持する押さえ板であって、前記固定板の一端に設置された第一の軸を中心に回動する前記押さえ板と、前記固定板の他端に設置された第二の軸を中心として回動するレバーと、前記押さえ板は第三の軸と、前記第三の軸の上側に位置する第四の軸と、一端が前記第四の軸周りに枢支されて前記第四の軸周りに回転する駆動伝達アームであって、他端に第五の軸を有する駆動伝達アームと、一端が前記第五の軸に回動可能に取り付けられ、他端が前記フィルターモジュール脱着装置の第六の軸回りに回動可能に取り付けられ、配管材が取り付けられているバルブセットと、を備え、前記レバーは、前記第三の軸が内部を移動可能な長孔のカム機構部を有し、前記長孔は、前記長孔の一端における前記第二の軸と前記第三の軸との距離が前記長孔の他端における前記第二の軸と前記第三の軸との距離よりも長く、前記レバーの回転により前記第三の軸が前記長孔の前記一端にあるときは、前記押さえ板は傾斜して、前記フィルターモジュールが前記押さえ板に装着可能であって、前記フィルターモジュールを前記押さえ板に装着後に前記レバーを回転させて前記第三の軸が前記長孔の前記他端に移動すると、前記フィルターモジュールの前記流体の前記流入口と前記マニホールドの前記流体の前記入口とを嵌合接続するとともに、前記駆動伝達アームが上方向に移動して、前記バルブセットの前記配管材が前記ドレイン孔の中に導入されるフィルターモジュール脱着装置により、解決する。
【発明の効果】
【００１１】
フィルターモジュールの脱着が容易となる。
【図面の簡単な説明】
【００１２】
【図１】従来の使い捨てフィルターモジュールの断面図である。
【図２】本発明の使い捨てフィルターモジュールの断面図である。
【図３】本発明の使い捨てフィルターモジュールの他の例を示す一部断面図である。
【図４】図３の使い捨てフィルターモジュールの弁を開いた上体を示す一部断面図である。
【図５】本発明の脱着装置を示す側面図である。
【図６】本発明の脱着装置の他の例を示す側面図である。
【図７】使い捨てフィルターモジュールに蓋体を冠着する状態を示す断面図である。
【図８】使い捨てフィルターモジュールに蓋体を冠着した状態を示す断面図である。
【発明を実施するための形態】
【００１３】
次に本発明の実施の形態を図面に基づいて説明する。
【００１４】
図１は、従来の使い捨てフィルターモジュール１（以下、フィルターモジュールという。）の断面図を示すもので、フィルターモジュール１は、シェル３とシェルキャップ４とで構成される合成樹脂製のハウジングと、該ハウジングに内装されるフィルターエレメント２とから構成される。フィルターエレメント２は、コア（多孔筒体）６に装着した濾過材５と、該濾過材を上下に挟持する第一のエンドキャップ（上部エンドキャップ）７と第二のエンドキャップ（下部エンドキャップ）８とから構成される。エンドキャップ（エンドプレート）７、８と濾過材５及びコア６とは、接着剤又は熱接着によって接着される。
【００１５】
フィルターエレメント２は、第一のエンドキャップ７に形成された円筒状突起部９とシェルキャップ４の内側に形成された円筒状突起部１０とを熱接着などによる接着によってシェルキャップ４に固定され、さらにシェルキャップ４とシェル３が接着されて、シェルキャップ４に形成された流体入口コネクタ１１と連通した流体を保持する空間（流体の一次側という）と流体出口コネクタと連通した空間（流体の二次側という）が、フィルターモジュール１内に形成される。流体の入口コネクタ１１及び出口コネクタ１２の形状には、ホースニップルタイプ、ネジタイプ及びフランジタイプなどがあるが、これらは流体処理システムとカップリングするように選定される。
【００１６】
図２は、本発明の一実施例を示す断面図であり、フィルターモジュール１は、下端が閉鎖した筒状ハウジング３と、該ハウジング３に内装されるフィルターエレメント２と、該フィルターエレメント２を挟持する上下のエンドプレート７、８とからなり、上部エンドプレート７がハウジング３に嵌合し、ハウジング３上端フランジ部１４と上部エンドプレート７の外周鍔部１５とが接着している。
【００１７】
上部エンドプレート７の中心部には、流体出口用の第一のコネクタ（円筒状突起）１０が、上部エンドプレート７の外周に設けた立ち上がり部内壁１６は、第二のコネクタに形成されている。上部エンドプレート７は、円筒状突起９と立ち上がり部との間は、リング状凹部に形成され、リング状凹部外周には、間隔付けて多数の開口１３が形成されている。
【００１８】
この使い捨てフィルターモジュール１を流体処理システムとカップリングさせるためには、図７及び図８に示すように、流体処理システムに接続可能なコネクタを有する蓋体（マニホールド）２２を嵌合させる必要がある。
【００１９】
マニホールド２２は、二つのコネクタで構成される。第一のコネクタは、フィルターエレメント２に設置された上部エンドプレート７の円筒状突起９に嵌合接続するためのコネクタであってＯリングでシールされる。
【００２０】
第二のコネクタは,Ｏリングを装着したマニホールド２２の外周であり、これが上部エンドプレート７に形成された第二のコネクタ１６に嵌合し、Ｏリングでシールされる。
【００２１】
このようにして、フィルターモジュール１内には、上部エンドプレート７の円筒状突起部９と連通した流体を保持する空間（流体二次側という）とリング状凹部外周の開口１３と連通した流体を保持する空間（流体一次側という）が形成される。
【００２２】
図３及び図４は、本発明の他の実施例を示す断面図であり、図２に示すフィルターモジュール１の底面に、板体の変形弾性力で閉鎖する開口部（ドレイン）１７を示すものである。フィルターエレメント２の下部エンドキャップ８とハウジング３の底面との間には、流体の一次側の空間が形成される。
【００２３】
ハウジング底面に設置したドレイン１７は、支持33突起１８に熱接着等で固定された板体１９で閉鎖される。このため一次側の流体は、ドレインから漏出しないが、配管材２０とバルブ２１で構成されるドレインバルブセットなどでドレイン１７の外部から内部に向けて板体１９が配部材２０で突き起こされると、板体１９と底面との間に隙間が生じて、シール材を有するドレインバルブセットを通じて流体をモジュールの外部に排出させることができる。
【００２４】
板体１９は、バルブセットによる突き起こしが解除されると板体１９が元の位置に復帰し、流体がドレイン１７から漏出しない程度の弾性変形の回復を示す構造が望ましい。この板体１９の素材としては、弾性剛体を示す材料であれば、金属でも合成樹脂でも良いが、金属材料を使用すると、廃棄する際には、フィルターモジュールを解体して金属と他の部材とを分別する作業が必要であるほか、処理流体がフィルターモジュール外に漏出するため、環境汚染や人体への悪影響が懸念される。このため、本発明においては、分別廃棄の不要な合成樹脂であるのが好ましく、ハウジングと同じ種類の合成樹脂（ポリプロピレン、ポリアミド又はポリエチレン）であるのが更に好ましい。
【００２５】
本発明においては、ハウジング３及びフィルターエレメント２のいずれも合成樹脂で形成するのが、分別廃棄が不要であるので好ましい。
【００２６】
図５は、本発明のフィルターモジュール脱着装置の断面図を示すものであり、マニホールド２２を支持する固定板２３と、とカム機構２４を有するレバー２５と、フィルターモジュールを載置する押さえ板２６とから構成される。フィルターモジュールを載置する押さえ板２６は、四角形の枠体に形成され、後部枠体のロッドには、アーム２７が連結され、アーム２７後部は固定板２３に設置された第一の軸２８に装着されて、押さえ板２６は、第一の軸２８を中心に回転回動するようになっている。
【００２７】
レバー２５は、固定板２３の他端に設置された第二の軸３０に装着されて、第二の軸３０を中心として回転回動するようになっている。またレバー２５は、押さえ板２６の前部枠体のロッドに設置された第三の軸２９と長孔のカム機構部２４をガイドとして、図示した下方向に移動し、フィルターモジュール押さえ板２６が第一の軸２８を中心に円弧運動をすることで、傾斜する機構となっている。尚、第二の軸３０と第三の軸２９は、垂直方向の同一直線上にある。
【００２８】
従って、レバー２５を上方向（矢印Ａ）に回転させて、フィルターモジュール押さえ板２６を下方向（矢印Ｂ）に傾斜させ、フィルターモジュール１をフィルターモジュール押さえ板２６に装着した後に、レバー２５を下方向（矢印Ａの反対方向）に回転させると、フィルターモジュール１とマニホールド２２とを嵌合接続することが出来る。
【００２９】
図７及び図８は、フィルターモジュール１とマニホールド２２とを接続する形態を説明する断面図で、図７は接続前の状態を、図８は接続後の状態を示す。本説明では、マニホールド２２が固定板２３に固定され、フィルターモジュール押え板２６がモジュールの底面を押し上げてマニホールド２２に嵌合させる例を示すが、フィルターモジュールの首部をホールドしてマニホールド２２を駆動させてフィルターモジュールに嵌合させてもよい。
【００３０】
図６は、モジュール脱着装置の他の実施例を示すもので、モジュールの脱着のアクションとドレインバルブセットの脱着アクションとを具備するモジュール脱着装置を示すものである。モジュールの脱着のアクションは図５に示したモジュール脱着装置と同じで、同一のレバー２３の操作で、ドレインバルブセットの脱着アクションが可能である。
【００３１】
本実施例では、レバーの上端に第四の軸３１が設けられ、第四の軸３１にバルブセット３２の駆動伝達アーム３３が取り付けられる。また、駆動伝達アーム３３の片端には第五の軸３４が設けられ、第五の軸３４にはバルブセット３２の片端が取り付けられる。さらに、フィルターモジュール押さえ板２６に第六の軸３５が設けられ、第六の軸３５にはバルブセット３２の別の片端が取り付けられる。
【００３２】
レバー２５を上方向(矢印Ａ)に第二の軸３０を中心に回転させると駆動伝達アーム３３はカム機構部２４により、下方向に移動し、バルブセット３２は第六の軸を中心に、下方向(矢印Ｂ)に移動する。バルブセット３２はレバー２５の回転と同時に矢印Ｂ方向に移動するが、フィルターモジュール押さえ板２６はレバー２５が矢印Ａ方向に４５度以上回転しないと可動しないよう、カム機構部２４の形状が決定されている。このため、レバー操作によって、初めにフィルターモジュール１からドレインバルブセット３２が脱離し、その後フィルターモジュール押さえ板２６が可動することで、フィルターモジュール１がマニホールド２２から脱離する構造である。
【００３３】
フィルターモジュール１をモジュール脱着装置に装着する場合は、前記のアクションと反に、レバーが水平方向(図６で示すレバーの位置から９０度回転した状態)から下方向に回転させて、４５度レバーを回転させることで、フィルターモジュール押さえ板２６の移動を終了させ、その後の回転(４５度から０度)では、バルブセット３２の移動のみとすることで、装着が完了させることができる。
【００３４】
本実施例では、レバーの回転角度を装着アクションの場合で、４５度でフィルターモジュール押さえ板２６の移動を終了させているが、６０度から４０度の範囲で終了させる様、カム機構部の形を選択しても良い。ただし、フィルターモジュール押さえ板２６の移動終了角度が４０度より小さいと、マニホールド２２とフィルターモジュール１とが急速に嵌合し、嵌合圧力(嵌合させる力)が課題となって、マニホールド部のＯリングの損傷や、フィルターモジュール１の損傷が生じる場合がある。また、移動終了角度が６０度より大きいと、フィルターモジュール1マニホールドに嵌合する前にバルブセット３２がフィルターモジュール1を動かしてフィルターモジュール１の位置をずらしてしまい、フィルターモジュール１の装着が出来なくなるためである。
【００３５】
上記実施例では、バルブセットを外してから蓋体とフィルターモジュールとを分離したが、これは蓋体を分離してから、バルブセットをフィルターモジュールから外しても差し支えない。このようにして分離したフィルターモジュールは、廃棄するが、蓋体とバルブセットは、新しいフィルターモジュールについて、何回でも使用される。
【符号の説明】
【００３６】
１  使い捨てフィルターモジュール
３  使い捨てフィルターモジュールのハウジング
４  シェルキャップ
７  上部エンドキャップ（上部エンドプレート）
８  下部エンドキャップ（下部エンドプレート）
９  上部エンドキャップに形成された円筒状突起
１１  入口コネクタ
１２  出口コネクタ
１３  開口
１７  開口部（ドレイン）
１９  板体
２０  配管材（パイプ）
２２  マニホールド（蓋体）
２３  固定材
２４  カム機構
２５  レバー
２６  フィルターモジュールを載置する押さえ板
３２  バルブセット
【図１】
2016055290.tif 000003
【図２】
2016055290.tif 000004
【図３】
2016055290.tif 000005
【図４】
2016055290.tif 000006
【図５】
2016055290.tif 000007
【図６】
2016055290.tif 000008
【図７】
2016055290.tif 000009
【図８】
2016055290.tif 000010
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
載置面を有し、流体の濾過を行うフィルターモジュールを脱着可能に取り付けるフィルターモジュール脱着装置であって、前記フィルターモジュールは、前記載置面にドレイン孔を有し、前記載置面と反対側の面に前記流体の流入口を有し、
そのフィルターモジュール脱着装置は、
前記流体の入口を有するマニホールドを支持する固定板と、
前記フィルターモジュールの前記載置面が接触するように載置されることで前記フィルターモジュールの前記載置面を支持する押さえ板であって、前記固定板の一端に設置された第一の軸を中心に回動する前記押さえ板と、
前記固定板の他端に設置された第二の軸を中心として回動するレバーと、
前記押さえ板は第三の軸と、
前記第三の軸の上側に位置する第四の軸と、一端が前記第四の軸周りに枢支されて前記第四の軸周りに回転する駆動伝達アームであって、他端に第五の軸を有する駆動伝達アームと、
一端が前記第五の軸に回動可能に取り付けられ、他端が前記フィルターモジュール脱着装置の第六の軸回りに回動可能に取り付けられ、配管材が取り付けられているバルブセットと、を備え、
前記レバーは、前記第三の軸が内部を移動可能な長孔のカム機構部を有し、前記長孔は、前記長孔の一端における前記第二の軸と前記第三の軸との距離が前記長孔の他端における前記第二の軸と前記第三の軸との距離よりも長く、
前記レバーの回転により前記第三の軸が前記長孔の前記一端にあるときは、前記押さえ板は傾斜して、前記フィルターモジュールが前記押さえ板に装着可能であって、
前記フィルターモジュールを前記押さえ板に装着後に前記レバーを回転させて前記第三の軸が前記長孔の前記他端に移動すると、前記フィルターモジュールの前記流体の前記流入口と前記マニホールドの前記流体の前記入口とを嵌合接続するとともに、前記駆動伝達アームが上方向に移動して、前記バルブセットの前記配管材と前記ドレイン孔との連通を行うフィルターモジュール脱着装置。
【請求項２】
請求項１に記載のフィルターモジュール脱着装置であって、
前記バルブセットの前記配管材と前記ドレイン孔との前記連通は、前記バルブセットの前記配管材が前記ドレイン孔に導入されるものであるフィルターモジュール脱着装置。
【手続補正２】
【補正対象書類名】明細書
【補正対象項目名】００２３
【補正方法】変更
【補正の内容】
【００２３】
ハウジング底面に設置したドレイン１７は、支持突起１８に熱接着等で固定された板体１９で閉鎖される。このため一次側の流体は、ドレインから漏出しないが、配管材２０とバルブ２１で構成されるドレインバルブセットなどでドレイン１７の外部から内部に向けて板体１９が配部材２０で突き起こされると、板体１９と底面との間に隙間が生じて、シール材を有するドレインバルブセットを通じて流体をモジュールの外部に排出させることができる。